(57)【要約】  【課題】マフラーブラケット、ベルフランジ及びエンジンサポートを一体化して、部品点数の削減及びコストダウンを図り、部品の組付け性及び製作性を向上させる。  【解決手段】エンジンサポート１７により支持されたエンジン１０の側面にベルフランジ１８を介して油圧ポンプ１６が連結され、且つ、ベルフランジ１８の上方にマフラーブラケット１９が配置された建設機械において、該マフラーブラケット１９、ベルフランジ１８及びエンジンサポート１７を一体化して１つの組立部品に形成する。そして、一体化部品２０は振動減衰性能の高い鋳物により製作することにより、前記エンジン１０側面にボルト２１，２２により取外し可能に締結固定する。【選択図】図３
2010106584.tif 000002
【特許請求の範囲】
【請求項１】
エンジンサポートにより支持されたエンジン側面にポンプ用フランジが設けられ、該ポンプ用フランジの上方にマフラーブラケットが設置された建設機械のサポート・フランジ・ブラケット一体型エンジン組付機構であって、該エンジンサポートと前記ポンプ用フランジと前記マフラーブラケットとを一体に形成し、且つ、該一体化した部品を前記エンジン側面に組み付け可能に構成したことを特徴とする建設機械のサポート・フランジ・ブラケット一体型エンジン組付機構。
【請求項２】
上記一体化した部品は鋳物により形成されていることを特徴とする請求項１記載の建設機械のサポート・フランジ・ブラケット一体型エンジン組付機構。
【発明の詳細な説明】
【技術分野】
【０００１】
本発明は建設機械のサポート・フランジ・ブラケット一体型エンジン組付機構に関するものであり、特に、エンジンサポートにより支持されたエンジンにポンプ用フランジが設けられ、該ポンプ用フランジの上方にマフラーブラケットが設置された建設機械のサポート・フランジ・ブラケット一体型エンジン組付機構に関するものである。
【背景技術】
【０００２】
従来、此種油圧ショベル等の建設機械は、下部旋回体上に上部走行体が旋回可能に搭載され、該上部旋回体の前方中央部にブーム、アーム及びブラケット等が上下動可能に取り付けられている。更に、上部旋回体の前部一側にキャブが設けられていると共に、該上部旋回体の後方部にエンジン、マフラー及び油圧ポンプ等の機器類が搭載されている。
【０００３】
図４に示すように、エンジン４１は断面Ｌ型のエンジンサポート４２により支持され、該エンジンサポート４２は鋼鉄により形成されている。そして、エンジンサポート４２の鉛直面部はボルト４３によってエンジン４１の側面下部に固定され、且つ、該エンジンサポート４２の下部水平面部はボルト４４によってエンジン設置面に固定されている。
【０００４】
又、エンジン４１の側面中央部にはポンプ用フランジ（ベルフランジ）４５が設けられ（図５参照）、該ポンプ用フランジ４５を介してエンジン４１側面に油圧ポンプ４６が連結されている。更に、ポンプ用フランジ４５の上方にはマフラーブラケット４８が設けられ、該マフラーブラケット４８上にマフラー４７が支持固定されている。尚、ポンプ用フランジ４５及びマフラーブラケット４８は夫々ボルト４９及びボルト５０によりエンジン４１に固定されている（例えば、特許文献１参照）。
【特許文献１】特開２００４−１３７８８４公報
【発明の開示】
【発明が解決しようとする課題】
【０００５】
上記従来例では、エンジンサポート、ポンプ用フランジ及びマフラーブラケットは互いに独立した別部品として作製され、且つ、各部品は夫々各別にエンジンに組み付けられている。そのため、部品点数が増加してコスト高になると共に、部品の組付け性が低下するという問題があった。
【０００６】
又、エンジン近傍には激しい振動が発生するために、特に鋼板製のエンジンサポート及びマフラーブラケットに割れ等の不具合が生じる恐れがある。更に、エンジンサポート及びマフラーブラケットは鋼板を溶接して製作しているので、該部品の製作効率が低下するという問題もあった。
【０００７】
そこで、エンジンサポート、ポンプ用フランジ及びマフラーブラケットを一体化して部品点数の削減及びコストダウンを図り、且つ、該部品の組付け性及び製作効率を向上させるために解決すべき技術的課題が生じてくるのであり、本発明はこの課題を解決することを目的とする。
【課題を解決するための手段】
【０００８】
本発明は上記の目的を達成するために提案されたものであり、請求項１記載の発明は、エンジンサポートにより支持されたエンジン側面にポンプ用フランジが設けられ、該ポンプ用フランジの上方にマフラーブラケットが設置された建設機械のサポート・フランジ・ブラケット一体型エンジン組付機構であって、該エンジンサポートと前記ポンプ用フラン
ジと前記マフラーブラケットとを一体に形成し、且つ、該一体化した部品を前記エンジン側面に組み付け可能に構成して成る建設機械のサポート・フランジ・ブラケット一体型エンジン組付機構を提供する。
【０００９】
この構成によれば、従来例では互いに別部品であったエンジンサポートとポンプ用フランジとは、一体化してフラーブラケットは１つの組付部品として形成される。そして、エンジン組付時に、該一体化した部品はエンジンの一側面にボルト等で締結固定して組み付けられる。
【００１０】
請求項２記載の発明は、上記一体化した部品は鋳物により形成されている請求項１記載の建設機械のサポート・フランジ・ブラケット一体型エンジン組付機構を提供する。
【００１１】
この構成によれば、エンジンサポート、ポンプ用フランジ及びマフラーブラケットを一体化した部品は、鋳物によって製作されるため高い振動減衰性能を有する。依って、エンジン近傍に激しい振動が生じても、該一体化部品に伝達される振動が効果的に減衰される。
【発明の効果】
【００１２】
請求項１記載の発明は、エンジンサポートとポンプ用フランジとマフラーブラケットを一体化して形成したので、部品点数の削減化及び製作費の低減化が可能になると共に構造が簡単化する。又、従来例ではエンジンサポート等の３つの部品を互いに別工程で組み付けていたが、本発明では１工程で組み付けるので部品の組付けが著しく向上する。
【００１３】
請求項２記載の発明は、エンジン近傍に激しい振動が発生した場合でも、鋳物製の一体化部品にはエンジン振動が伝達され難いので、請求項１記載の発明の効果に加えて、エンジン振動に起因するエンジンサポート及びマフラーブラケットの割れ等の不具合をより確実に防止することができる。
【００１４】
更に、鋳物製の一体化部品は製作時に溶接工程が不要になるため製作効率が著しく向上する。
【発明を実施するための最良の形態】
【００１５】
本発明は、エンジンサポート、ポンプ用フランジ及びマフラーブラケットを一体化して部品点数の削減及びコストダウンを図り、且つ、組付け性及び製作効率を向上させるという目的を達成するために、エンジンサポートにより支持されたエンジン側面にポンプ用フランジが設けられ、該ポンプ用フランジの上方にマフラーブラケットが設置された建設機械のサポート・フランジ・ブラケット一体型エンジン組付機構であって、該エンジンサポートと前記ポンプ用フランジとマフラーブラケットとを一体に形成し、且つ、該一体化した部品を前記エンジン側面に組み付け可能に構成したことによって実現した。
【実施例】
【００１６】
以下、本発明に係る好適な一実施例を図１乃至図３に従って説明する。本実施例では、エンジンサポート、ベルフランジ（油圧ポンプ用の連結部品）及びマフラーブラケットを鋳鉄により１つの部品として形成しているが、本発明はこれに限定されるものではなく、該一体化部品の材質は鋳鉄以外の金属材料であってもよい。
【００１７】
図１は本実施例に係る建設機械としての油圧ショベル１を示す側面図である。同図に示すように、下部走行体２上には旋回機構３を介して上部旋回体４が旋回可能に搭載され、該上部旋回体４の前方中央部にはブーム５が俯仰動可能に設けられている。
【００１８】
又、ブーム５の先端部にはアーム６が上下回動可能に枢着され、且つ、アーム６の先端部にはバケット７が上下回動可能に取り付けられている。更に、上部旋回体４の前方一側部にはキャビン８が搭載されている。
【００１９】
図２は上部旋回体４の平面図であるが、説明の都合上、ブーム５等の作業アタッチメントを取り外した状態を示している。同図に示すように、上部旋回体４の後方部にはエンジン１０と、該エンジン１０の排気ラインに接続された略円筒形のマフラー１１と、該マフラー１１の右側に設置されたポンプ室１２とが搭載されている。
【００２０】
前記マフラー１１はエンジン１０に対して直交する方向（車両前後方向）に水平に設置され、又、該マフラー１１には排ガス４次規制に対応可能なＤＰＦ(Diesel Particulate Filter）が内蔵されている。更に、ポンプ室１２内には図３に示す油圧ポンプ１６が収納され、該油圧ポンプ１６はエンジン１０の出力軸側に連結されている。
【００２１】
又、エンジン１０の前方には旋回機構３が設けられていると共に、該旋回機構３の右側には燃料タンク１３が設置されている。更に、燃料タンク１３とポンプ室１２との間には作動油タンク１４が設けられている。これら作動油タンク１４、燃料タンク１３、ポンプ室１２及びエンジン１０等はハウスカバー１５により被蔽保護されている。
【００２２】
図３は、エンジン１０のポンプ室１２側に設置される組付部品を示す。従来例では、エンジンサポート１７、ベルフランジ１８及びマフラーブラケット１９は互いに別部品として製作されていたが、本発明では１つの組付部品（以下、「一体化部品２０」と称する。）として製作されている。
【００２３】
同図に示す如く、円形のベルフランジ１８の下部側にはエンジンサポート１７が連設され、且つ、該ベルフランジ１８の上部側にはマフラーブラケット１９が連設されている。斯くして、一体化部品２０を構成するエンジンサポート１７、ベルフランジ１８及びマフラーブラケット１９は、エンジン１０側面に一工程で組み付けられる。
【００２４】
本実施例では、一体化部品２０の下部を構成するエンジンサポート１７は、鉛直面部と該鉛直面部下端に直角に延設した下部水平面部とから成る。そして、該エンジンサポート１７の下部水平面部は、エンジン設置面にボルト２２により固定されている。更に、エンジンサポート１７の鉛直面部はエンジン１０の前側面下部を垂直に支持固定している。
【００２５】
又、一体化部品２０の上下中間部を構成するベルフランジ１８は、エンジン１０の前側面中央部に設けられている。更に、ベルフランジ１８は、従来例と同様に中心孔を有するドーム状に形成され、該中心孔にはエンジン１０の出力軸が水平に挿通されている。そして、エンジン１０の前側面にはベルフランジ１８を介して前記油圧ポンプ１６が連結されている。
【００２６】
更に、一体化部品２０の上部を構成するマフラーブラケット１９は、ベルフランジ１８の上方に設置されている。そして、該マフラーブラケット１９は、マフラー固定用の上部載置部と、該上部載置部の下面に連設した垂直支持部とから成る。
【００２７】
また、マフラーブラケット１９の上部載置部には、Ｕボルト（図示せず）等を介してマフラー１１が水平に載置固定されている。更に、マフラーブラケット１９は、重量の大きいマフラー１１に十分対応可能な支持強度を有しているため、大型のマフラー１１であっても安定して支持できるように構成されている。
【００２８】
本実施例では、一体化部品２０全体は鋳物によって作製されているため、高い振動減衰
性能を有している。又、ベルフランジ１８の円周部外側には、図示しないボルト貫通用孔が複数（例えば１０個程度）穿設されている。そして、該孔を貫通するボルト２１，により、一体化部品２０はエンジン１０の前側面に取外し可能に締結固定されている。
【００２９】
以上の如く本発明によると、従来例では互いに分離していたエンジンサポート１７とベルフランジ１８とマフラーブラケット１９とを一体化して、１つの一体化部品２０として形成したので、構造が簡単化して部品点数が削減すると共に製作コストが大幅に低減する。
【００３０】
又、一体化部品２０はボルト２１，及びボルト２２によりエンジン１０に締結固定されている。従って、エンジンサポート１７、ベルフランジ１８及びマフラーブラケット１９を１工程で容易に着脱できるので、従来例に比べて一体化部品２０の組付・分解時の作業性が著しく向上する。
【００３１】
更に、一体化部品２０は鋳鉄により形成したので高い振動減衰性能を有する。従って、エンジン１０近傍に激しい振動が発生した場合でも、一体化部品２０に伝達される振動が効果的に減衰される。
【００３２】
斯くして、エンジン振動に起因するエンジンサポート１７及びマフラーブラケット１９等の割れ又は損傷等の不具合を未然に防止でき、従来例に比較して耐久強度が著しく向上する。更に、鋳鉄製の一体化部品２０は、製作時に溶接工程が不要になるので、エンジンサポート１７、ベルフランジ１８及びマフラーブラケット１９の製作性が大幅に向上する。
【００３３】
上記実施例では、エンジンサポート１７はベルフランジ１８の下部一側に設けたが、エンジン１０等の型式や大きさに応じて、ベルフランジ１８の下部他側又は下部中央部に設けることもできる。又、マフラーブラケット１９の上部載置部は下方に凸の屈曲形状に形成したが、本発明は之に限定されるべきではなく、マフラー１１の構造などに応じて適宜形状に形成することができる。
【００３４】
尚、本発明は、本発明の精神を逸脱しない限り種々の改変を為すことができ、そして、本発明が該改変されたものに及ぶことは当然である。
【図面の簡単な説明】
【００３５】
【図１】本発明の一実施例を示し、建設機械としての油圧ショベルの側面図。
【図２】一実施例に係る上部旋回体における機器類の配置を説明する平面図。
【図３】一実施例に係る一体化部品を示す斜視図。
【図４】従来例に係るエンジンサポート、ベルフランジ等の部品を説明する斜視図。
【図５】従来例に係るエンジン側面の構造を説明する斜視図。
【符号の説明】
【００３６】
１    油圧ショベル
４    上部旋回体
１０  エンジン
１１  マフラー
１６  油圧ポンプ
１７  エンジンサポート
１８  ベルフランジ（ポンプ連結用のフランジ）
１９  マフラーブラケット
２０  一体化部品
２１  ボルト
【図１】
2010106584.tif 000003
【図２】
2010106584.tif 000004
【図３】
2010106584.tif 000005
【図４】
2010106584.tif 000006
【図５】
2010106584.tif 000007